(57)【要約】【課題】水石鹸の補給作業を楽に行うことができ、またキャビネットの美観も良好な水回りキャビネットを提供する。【解決手段】前面パネル２４を開けると、補給口５４がキャビネット本体１０の上部の前面部に位置し、しかも前方斜め上方を指向しているので、キャップ５６を外して容易に水石鹸を補給口５４に注ぎ込んでタンク５０に補給することができる。補給口５４を掴んで手前に引き出すことにより、水石鹸の補給作業を容易に行うことができる。この外したキャップ５６は線状体５８によって吊り下げられるので、紛失したり、キャップ５６が床に落下して汚れたりすることがない。キャビネット本体１０の前面中央に縦の隙間が発生せず、美観が良好である。【選択図】図１
2011177426.tif 000002
【特許請求の範囲】
【請求項１】
前面に開閉部を有し、内部に水石鹸タンクが設置され、該水石鹸タンクに水石鹸補給管の下端が連なっている水回りキャビネットにおいて、
該水石鹸補給管の上端の補給口が該キャビネット内の上部において該開閉部に臨んで配置されていることを特徴とする水回りキャビネット。
【請求項２】
請求項１において、前記開閉部は、キャビネットの前面の少なくとも一部が左又は右方向（以下、開方向という。）にスライドして開放可能なスライドプレートにて構成されていることを特徴とする水回りキャビネット。
【請求項３】
請求項２において、前記スライドプレートは、前記キャビネットの前面の一部のみを開放するように構成されていることを特徴とする水回りキャビネット。
【請求項４】
請求項３において、該水回りキャビネットは、
左右方向に延在した横フレームと、
該横フレームの前記開方向側の端部に連なる第１の縦フレームと、
該横フレームの該開方向と反対側の端部に連なる第２の縦フレームと、
該横フレームに沿って左右方向に摺動するスライダと
を有しており、
該スライダに前記スライドプレートが連結されており、
該スライドプレートが閉じた状態においては、該スライダの該開方向と反対側の端部が該第２の縦フレームに当接しており、
該スライドプレートは、該スライダの該開方向側の端部が該第１の縦フレームに当接するまで該開方向へ移動可能となっていることを特徴とする水回りキャビネット。
【請求項５】
請求項２ないし４のいずれか１項において、前記スライドプレートが閉じた状態において該スライドプレートの開方向への移動を規制する規制手段が設けられていることを特徴とする水回りキャビネット。
【請求項６】
請求項５において、該水回りキャビネットは、
左右方向に延在した横フレームと、
該横フレームに沿って左右方向に摺動するスライダと
を有しており、
該スライダに前記スライドプレートが連結されており、
前記規制手段は、該横フレームから突出する突起を備えており、
該突起は、該スライドプレートが閉じた状態においては、該スライダに前記開方向側から対峙して該スライダの該開方向への移動を規制しており、
スライドプレート開放時には、該スライダが該突起を乗り越えて該開方向へ移動するように構成されていることを特徴とする水回りキャビネット。
【請求項７】
請求項２ないし６のいずれか１項において、該スライドプレートは、キャビネットの左端から右端まで延在していることを特徴とする水回りキャビネット。
【請求項８】
請求項１ないし７のいずれか１項において、前記水石鹸補給管の上端の補給口がキャビネット前方に向って斜め上方を指向して開口していることを特徴とする水回りキャビネット。
【請求項９】
請求項１ないし８のいずれか１項において、前記補給口は前方に引き出し可能となっていることを特徴とする水回りキャビネット。
【請求項１０】
請求項１ないし９のいずれか１項において、該補給口に着脱可能なキャップが装着されており、該キャップは、線状体を介してキャビネット上部に連結されており、補給口から外されたときに該線状体によって吊り下げられるように構成されていることを特徴とする水回りキャビネット。
【発明の詳細な説明】
【技術分野】
【０００１】
本発明は、洗面キャビネット、手洗キャビネットなどの水回りキャビネットに係り、キャビネット内に水石鹸タンクが設置されている水回りキャビネットに関する。
【背景技術】
【０００２】
キャビネット内に設置された水石鹸タンクからの水石鹸を水石鹸ノズルに供給して吐出するように構成した洗面キャビネットが広く用いられている。従来用いられている洗面キャビネットにあっては、キャビネット内の水石鹸タンクに水石鹸を補給する場合、キャビネット内に補給容器を差し込んで注ぎ込むようにしており、作業姿勢が楽ではない。
【０００３】
特許文献１，２には、この水石鹸の補給口を全自動洗面器のカバーに設けることが記載されている。また、特許文献３には、この水石鹸補給口を洗面器に設けることが記載されている。
【先行技術文献】
【特許文献】
【０００４】
【特許文献１】実開平５−３２４６２
【特許文献２】特開平４−２８３１３
【特許文献３】特開２００２−１１９４３３
【発明の概要】
【発明が解決しようとする課題】
【０００５】
上記特許文献１〜３にあっては、補給口が外部から見えるので、美観が損なわれるおそれがある。また、特許文献３にあっては、補給口に水が浸入する懸念がある。
【０００６】
本発明は、上記従来の問題点を解決し、水石鹸の補給作業を楽に行うことができ、またキャビネットの美観も良好な水回りキャビネットを提供することを目的とする。
【課題を解決するための手段】
【０００７】
本発明（請求項１）の水回りキャビネットは、前面に開閉部を有し、内部に水石鹸タンクが設置され、該水石鹸タンクに水石鹸補給管の下端が連なっている水回りキャビネットにおいて、該水石鹸補給管の上端の補給口が該キャビネット内の上部において該開閉部に臨んで配置されていることを特徴とするものである。
【０００８】
請求項２の水回りキャビネットは、請求項１において、前記開閉部は、キャビネットの前面の少なくとも一部が左又は右方向（以下、開方向という。）にスライドして開放可能なスライドプレートにて構成されていることを特徴とするものである。
【０００９】
請求項３の水回りキャビネットは、請求項２において、前記スライドプレートは、前記キャビネットの前面の一部のみを開放するように構成されていることを特徴とするものである。
【００１０】
請求項４の水回りキャビネットは、請求項３において、該水回りキャビネットは、左右方向に延在した横フレームと、該横フレームの前記開方向側の端部に連なる第１の縦フレームと、該横フレームの該開方向と反対側の端部に連なる第２の縦フレームと、該横フレームに沿って左右方向に摺動するスライダとを有しており、該スライダに前記スライドプレートが連結されており、該スライドプレートが閉じた状態においては、該スライダの該開方向と反対側の端部が該第２の縦フレームに当接しており、該スライドプレートは、該スライダの該開方向側の端部が該第１の縦フレームに当接するまで該開方向へ移動可能となっていることを特徴とするものである。
【００１１】
請求項５の水回りキャビネットは、請求項２ないし４のいずれか１項において、前記スライドプレートが閉じた状態において該スライドプレートの開方向への移動を規制する規制手段が設けられていることを特徴とするものである。
【００１２】
請求項６の水回りキャビネットは、請求項５において、該水回りキャビネットは、左右方向に延在した横フレームと、該横フレームに沿って左右方向に摺動するスライダとを有しており、該スライダに前記スライドプレートが連結されており、前記規制手段は、該横フレームから突出する突起を備えており、該突起は、該スライドプレートが閉じた状態においては、該スライダに前記開方向側から対峙して該スライダの該開方向への移動を規制しており、スライドプレート開放時には、該スライダが該突起を乗り越えて該開方向へ移動するように構成されていることを特徴とするものである。
【００１３】
請求項７の水回りキャビネットは、請求項２ないし６のいずれか１項において、該スライドプレートは、キャビネットの左端から右端まで延在していることを特徴とするものである。
【００１４】
請求項８の水回りキャビネットは、請求項１ないし７のいずれか１項において、前記水石鹸補給管の上端の補給口がキャビネット前方に向って斜め上方を指向して開口していることを特徴とするものである。
【００１５】
請求項９の水回りキャビネットは、請求項１ないし８のいずれか１項において、前記補給口は前方に引き出し可能となっていることを特徴とするものである。
【００１６】
請求項１０の水回りキャビネットは、請求項１ないし９のいずれか１項において、該補給口に着脱可能なキャップが装着されており、該キャップは、線状体を介してキャビネット上部に連結されており、補給口から外されたときに該線状体によって吊り下げられるように構成されていることを特徴とするものである。
【発明の効果】
【００１７】
本発明の水回りキャビネットにあっては、補給口がキャビネット内に位置しており、キャビネットの美観が良好である。水石鹸の補給を行うときには、キャビネットの開閉部を開けて補給口から水石鹸タンクに水石鹸を補給する。この補給口は、キャビネット内の上部に開閉部に臨むように位置しているので、補給作業時の姿勢が楽であり、補給作業をスムーズに行うことができる。
【００１８】
請求項２の水回りキャビネットにあっては、キャビネットの前面のスライドプレートを左又は右にスライドさせて開閉部を開けるので、作業者がキャビネットに近接していても、スライドプレートが作業者に当ることがなく、作業し易い。
【００１９】
請求項３の水回りキャビネットにあっては、スライドプレートは、キャビネットの前面の一部のみを開放するように構成されているので、スライドプレート開放時にスライドプレートが過度にキャビネットの側方に張り出すことがない。
【００２０】
請求項４の水回りキャビネットにあっては、スライドプレートは、実質的に、横フレームの左右方向の長さからスライダの左右方向の幅を引いた分の幅だけキャビネットの前面を開放可能となっている。この請求項４の態様によれば、スライダの左右方向の幅を適宜調節することにより、簡易な構成にて、スライドプレートの開放量を調節することができる。
【００２１】
請求項５の水回りキャビネットにあっては、スライドプレートが閉じた状態においては、該スライドプレートの開方向への移動が規制手段によって規制されるため、閉じた状態にあるスライドプレートが開方向へずれにくく、キャビネット使用者が意図していないときにスライドプレートが開くことが防止される。
【００２２】
請求項６の水回りキャビネットにあっては、簡易な構成にて、スライドプレートの開放動作を規制することができる。
【００２３】
請求項７の水回りキャビネットにあっては、スライドプレートがキャビネットの左端から右端まで延在するので、キャビネット前面中央に切れ目が入らず、見栄えが良い。即ち、市販の洗面キャビネットで一般的に採用されている観音開き式のドア板では、キャビネットの中央にて左右のドア板の合わせ目が上下に延在しており、隙間が生じたり、合わせ目が目立って美観に劣るが、この請求項７によれば、このようなことが解消される。
【００２４】
請求項８の水回りキャビネットにあっては、補給口がキャビネットの前方に向って斜め上方を指向して開口しているので、水石鹸を補給口に注ぎ込み易い。
【００２５】
請求項９の水回りキャビネットにあっては、補給口を手前に引き出すことができるので、水石鹸の補給作業を容易に行うことができる。
【００２６】
請求項１０の水回りキャビネットにあっては、キャップを外してキャップから手を離してもキャップが吊り下げ状態となるので、キャップを紛失したり、キャップが床に落ちて汚れたりすることが防止される。
【図面の簡単な説明】
【００２７】
【図１】実施の形態に係る水回りキャビネットの前面パネル開放時の斜視図である。
【図２】実施の形態に係る水回りキャビネットの前面パネル閉鎖時の斜視図である。
【図３】図２のIII−III線断面図である。
【図４】前面パネルとフレームとの係合関係を示す分解斜視図である。
【図５】スライダの端部の斜視図である。
【図６】補給口付近の斜視図である。
【図７】別の実施の形態に係る水回りキャビネットの斜視図である。
【発明を実施するための形態】
【００２８】
以下、第１図〜第６図を参照して第１の実施の形態に係る水回りキャビネットについて説明する。なお、この水回りキャビネットは洗面キャビネットであるが、洗面器よりも小型の手洗器を備えた手洗キャビネットについても本発明を適用できる。また、この実施の形態では、キャビネット本体１０の前面が前方に向って傾いた傾斜面となっているが、鉛直とされてもよい。
【００２９】
この水回りキャビネット１の箱状の水回りキャビネット本体１０の上面に洗面器１２が設置されていると共に、この洗面器１２の後側にバックガード部１４が設けられている。符号１２ａは洗面器１２の排水口を示す。このバックガード部１４は、左右方向（この水回りキャビネット１の使用者から見て左右方向。以下、同様）に延在する長箱状である。このバックガード部１４の前面は、前方に向って傾いた傾斜面となっている。このバックガード部１４の前面に吐水口１６と、該吐水口１６の近くに差し出された手を検知するセンサ１８と、水石鹸の吐出口２０と、該吐出口２０の近くに差し出された手を検知するためのセンサ２２とが設けられている。
【００３０】
キャビネット本体１０の前面パネル２４は左右方向にスライド可能となっている。
【００３１】
キャビネット本体１０は、この前面パネル２４の背面に沿うフレーム３０を有している。第４図の通り、このフレーム３０は、左側の縦フレーム３２、右側の縦フレーム３４、これらの縦フレーム３２，３４同士の間に架設された上側横フレーム３６及び下側横フレーム３８を備えた長方形の枠状である。この実施の形態では、左側の縦フレーム３２が請求項４の第１の縦フレームに相当し、右側の縦フレーム３４が請求項４の第２の縦フレームに相当する。
【００３２】
前面パネル２４の裏面には、第２〜５図のように、上側横フレーム３６に係合する上側スライダ２６と、下側横フレーム３８に係合する下側スライダ２８とが設けられている。スライダ２６，２８は、第３図〜第５図に示すように、横フレーム３６，３８の上面に重なって摺動する中間片４０と、該中間片４０から前面パネル２４に沿って立ち上る立上片４２と、該中間片４０から横フレーム３６，３８の後面に沿って立ち下がる立下片４４と、スライダ２６，２８の左右の両端に設けられたエンドプレート４６と、各エンドプレート４６に設けられたゴム等よりなるストッパ４８とを備えている。ストッパ４８は、中間片４０、立上片４２及び立下片４４のいずれよりも左右側方に突出している。立上片４２が前面パネル２４に対しビス等により固定されている。立下片４４の下部は、下端側ほど横フレーム３６，３８から離反するように曲成されている。これは、スライダ２６，２８を横フレーム３６，３８に対し上方から係合させ易くするためである。即ち、前面パネル２４は、スライダ２６，２８を横フレーム３６，３８に上方から引っ掛けるようにして該横フレーム３６，３８に係止されており、前面パネル２４を上方へ持ち上げてスライダ２６，２８と横フレーム３６，３８との係合を解除することにより、前面パネル２４をキャビネット本体１０の前面から取り外すことができるように構成されている。これにより、タンク５０をキャビネット本体１０内から取り出す場合や、キャビネット本体１０内の止水栓（図示略）の修理を行う場合などには、容易に前面パネル２４を取り外すことができる。このように前面パネル２４を取り外すことにより、キャビネット本体１０の前面を広く開放させることができるので、キャビネット本体１０内での作業や部品の出し入れ等を容易に行うことが可能となる。
【００３３】
スライダ２６，２８は、前面パネル２４を閉めた状態で正面向って右側のストッパ４８が右側の縦フレーム３４に当接する位置関係にて前面パネル２４の裏面に取り付けられている。この実施の形態では、前面パネル２４を左側へスライドさせて開けた場合には、第１図のようにキャビネット本体１０の前面が途中まで開放した時点でスライダ２６，２８の左側のストッパ４８が左側の縦フレーム３２に当接する。即ち、この実施の形態では、前面パネル２４は、キャビネット本体１０の前面の一部のみを開放するものとなっている。第１図の通り、補給口５４は、前面パネル２４を開けたときにこの開放部に臨むように配置されている。この実施の形態では、上側の横フレーム３６の上面に、前面パネル２４が閉じた状態において該前面パネル２４の開放動作を規制する規制手段としての突起３７が設けられている。この突起３７は、第２図の通り、前面パネル２４が閉じた状態において、スライダ２６の中間片４０の左端に左方から対峙する位置に配設されている。横フレーム３６の上面からの突起３７の突出高さは１〜５ｍｍであることが好ましい。この突起３７により、前面パネル２４が閉じた状態において、スライダ２６が左方へ移動することが規制される。これにより、閉じた状態にある前面パネル２４が開方向へずれにくく、キャビネット使用者が意図していないときに前面パネル２４が開くことが防止される。前面パネル２４を開けるときには、該前面パネル２４に左方へ所定以上の力を加えることにより、スライダ２６が突起３７を乗り越えて左方へ移動し、前面パネル２４が開く。なお、前面パネル２４の開放動作を規制する規制手段の構成はこれに限定されない。この実施の形態では、スライダ２６，２８の左右方向長さは、横フレーム３６，３８の全長の５０〜７０％程度である。
【００３４】
前面パネル２４は、左側のストッパ４８が左側の縦フレーム３２に当接する位置まで左方に移動可能である。
【００３５】
キャビネット本体１０内の下部に、水石鹸タンク５０が設置され、この水石鹸タンク５０に水石鹸の補給管５２の下端が接続されている。補給管５２は上方に延在し、その上端の補給口５４がキャビネット本体１０の前面部の上部に位置している。この実施の形態では、上側横フレーム３６にＵ字金具６０が後方の斜め上方へループ状に膨出するように取り付けられており、補給管５２が該Ｕ字金具６０に挿通されている。
【００３６】
補給口５４は該Ｕ字金具６０の開口径よりも大径であり、補給口５４から手を離すと補給口５４がＵ字金具６０に引っ掛って保持されるよう構成されている。この補給口５４がＵ字金具６０に保持された状態において、補給口５４は前方かつ斜め上方を指向している。
【００３７】
補給管５２は、上端部以外の少なくとも一部が蛇腹管よりなり、補給口５４を掴んで引っ張ると、補給口５４を手前に引き出すことができるようになっている。なお、補給管５２の上端部５２ａは、Ｕ字金具６０とスムーズに摺動するように外周面が滑らかな略直管状となっている。
【００３８】
この補給口５４にキャップ５６が着脱自在に装着されている。キャップ５６は、チェーン等の線状体５８を介してキャビネット本体１０の上部に連結されている。この線状体５８は、キャップ５６を補給口５４から外して手を離したときには、キャップ５６がキャビネット本体１０に対し吊り下げ状となる長さとなっている。
【００３９】
水石鹸タンク５０からは、ポンプ及びホース（図示略）を介して水石鹸を水石鹸吐出口２０に送液可能となっている。
【００４０】
このように構成された水回りキャビネット１にあっては、前面パネル２４を開けると、補給口５４がキャビネット１０の上部の前面部に位置し、しかも前方斜め上方を指向しているので、キャップ５６を外して容易に水石鹸を補給口５４に注ぎ込んでタンク５０に補給することができる。特に、この実施の形態では、補給口５４を掴んで手前に引き出すこともでき、このようにすれば水石鹸の補給作業を容易に行うことができる。この外したキャップ５６は線状体５８によって吊り下げられるので、紛失したり、キャップ５６が床に落下して汚れたりすることがない。
【００４１】
この前面パネル２４は左方にスライドして開くので、キャビネット本体１０の前方スペースが狭くても、またキャビネット本体１０の直近に作業者が居ても、前面パネル２４をスムーズに開けることができる。前面パネル２４を閉めると、補給口５４が隠蔽されるので、美観が良好である。
【００４２】
この前面パネル２４のスライダ２６，２８にゴム製ストッパ４８が設けられており、該ストッパ４８が縦フレーム３２又は３４に当接するので、前面パネル２４を開け閉めしたときの衝突音や衝撃が小さい。
【００４３】
この実施の形態では、横フレーム３６の上面から突設された突起３７により、前面パネル２４が閉じた状態においてスライダ２６が左方へ移動することが規制されるため、閉じた状態にある前面パネル２４がずれにくく、キャビネット使用者が意図していないときに前面パネル２４が開くことが防止される。
【００４４】
また、この実施の形態では、キャビネット本体１０の前面のほぼ全体が前面パネル２４によって構成されており、この前面パネル２４は左端から右端まで一枚物のパネルとなっている。このため、キャビネット本体１０の前面中央に縦の隙間が発生せず、美観が良好である。
【００４５】
なお、この実施の形態では、前面パネル２４は左方にスライドして開くものとなっているが、右方にスライドして開くものとされてもよい。
【００４６】
上記実施の形態では、前面パネル２４がスライドして開閉するものとなっているが、第７図の水回りキャビネット１Ａのように、前面パネル２４Ａの上部に、小開口部７０を設け、この小開口部７０に開閉扉７２を設けてもよい。符号７４は扉７２を閉鎖状態に保つためのロックを示す。補給口５４はこの小開口部７０に臨むように配置されている。この水回りキャビネット１Ａのその他の構成は、前面パネル２４Ａが左右にスライドせず、単に横フレーム３６，３８に係止されている他は、水回りキャビネット１と同様である。この水回りキャビネット１Ａにおいても、水石鹸の補給を容易に行うことができる。
【００４７】
上記実施の形態はいずれも本発明の一例であり、本発明は図示以外の態様とされてもよい。例えば、前面パネル２４はガイドローラーに案内されて左右にスライドするよう構成されてもよい。また、スライド可能な前面パネル２４の上下寸法は図示よりも小さくされてもよい。
【符号の説明】
【００４８】
１，１Ａ  水回りキャビネット
１０  キャビネット本体
１２  洗面器
１６  吐水口
１８  水石鹸吐出口
２４  前面パネル
２６，２８  スライダ
３２，３４  縦フレーム
３６，３８  横フレーム
３７  突起
５０  水石鹸タンク
５２  補給管
５４  補給口
５６  キャップ
【図１】
2011177426.tif 000003
【図２】
2011177426.tif 000004
【図３】
2011177426.tif 000005
【図４】
2011177426.tif 000006
【図５】
2011177426.tif 000007
【図６】
2011177426.tif 000008
【図７】
2011177426.tif 000009